(57)【特許請求の範囲】
【請求項１】
表裏の胴部シートの上縁部と側縁部を接合して上縁接合部、側縁接合部を形成し、胴部シートの下縁部に底部シートの周縁部を接合して底縁接合部を形成した袋であって、上縁接合部の互いに異なる位置の２箇所に注ぎ口予定部を備え、２箇所の注ぎ口予定部のうちの１箇所の注ぎ口予定部を上縁接合部における幅方向の一端部であって側縁接合部との交差コーナー部に位置させ、他の注ぎ口予定部を上縁接合部における幅方向の中間部に位置させ、それらの注ぎ口予定部の切断ラインを互いに異なる直線上に設け、それらの注ぎ口予定部のいずれかを選択的に切断して開封可能にする袋。
【請求項２】
前記上縁接合部における幅方向の真中に位置する注ぎ口予定部と、上縁接合部における幅方向の一端部であって側縁接合部との交差コーナー部に位置する注ぎ口予定部を備える請求項１に記載の袋。
【請求項３】
前記真中に位置する注ぎ口予定部の開封幅を、交差コーナー部に位置する注ぎ口予定部の開封幅より大きくする請求項２に記載の袋。
【請求項４】
前記注ぎ口予定部は切断開始部又は切り口表示部を備える請求項１〜３のいずれかに記載の袋。
【請求項５】
前記切り口表示部が線状印刷からなる請求項４に記載の袋。
【請求項６】
前記切り口表示部がエンボス加工した凹凸部からなる請求項４に記載の袋。
【請求項７】
前記切り口表示部の側部に切断開始部を設ける請求項４に記載の袋。
【請求項８】
自立袋である請求項１〜７のいずれかに記載の袋。
【発明の詳細な説明】
【０００１】
【発明の属する技術分野】
本発明は液体、粉体等の内容物を注出可能とする袋に関する。
【０００２】
【従来の技術】
袋は注ぎ口予定部を単一位置に定め、その開口幅も単一としている。
【０００３】
【発明が解決しようとする課題】
袋の注出作業姿勢を決めることになる注ぎ口の好適位置は、使用者により、袋の上縁接合部における幅方向の真中にあることが好まれる場合、袋の上縁接合部における幅方向の一端部にあることが好まれる場合等、多様である。
【０００４】
また、袋からの注出流量を決めることとなる注ぎ口の好適な開口幅も、使用者により、小注出流量に対応する狹幅が好まれる場合、大注出流量に対応する広幅が好まれる場合等、多様である。
【０００５】
また、プラスチックシートからなる袋の単一の注ぎ口予定部を手指等で引き裂くとき、１度引き裂き損ねると、当該注ぎ口予定部がその後剪断しにくくなり、開封困難になる。
【０００６】
本発明の課題は、多様な使用者に対して良好な注ぎ性を提供でき、かつ開封性も良好にすることにある。
【０００７】
【課題を解決するための手段】
請求項１の発明は、表裏の胴部シートの上縁部と側縁部を接合して上縁接合部、側縁接合部を形成し、胴部シートの下縁部に底部シートの周縁部を接合して底縁接合部を形成した袋であって、上縁接合部の互いに異なる位置の２箇所に注ぎ口予定部を備え、２箇所の注ぎ口予定部のうちの１箇所の注ぎ口予定部を上縁接合部における幅方向の一端部であって側縁接合部との交差コーナー部に位置させ、他の注ぎ口予定部を上縁接合部における幅方向の中間部に位置させ、それらの注ぎ口予定部の切断ラインを互いに異なる直線上に設け、それらの注ぎ口予定部のいずれかを選択的に切断して開封可能にするものである。
【０００８】
【発明の実施の形態】
図１の軟質自立袋１０は、本発明の実施形態であって、表裏の胴部シート１１、１１の上縁部と側縁部を互いに熱融着等により接合して上縁接合部２１、側縁接合部２２を形成するとともに、両胴部シート１１、１１の下縁部に底部シート１２（不図示）の周縁部を熱融着等により接合して底縁接合部２３を形成したものである。尚、袋１０は、胴部シート１１、底部シート１２の上述の接合過程で内容物を充填する。
【０００９】
袋１０は、上縁接合部２１における幅方向の真中に位置する注ぎ口予定部３１と、上縁接合部２１における幅方向の一端部（上縁接合部２１と側縁接合部２２の交差コーナー部でもある）に位置する注ぎ口予定部３２とを備える。注ぎ口予定部３１は、上縁接合部２１の真中で袋１０の長手方向の外方に突き出る尖り状の上縁接合部をなし、切り口表示ライン３１Ａを備え、ライン３１Ａに沿う上縁接合部２１の切断により注ぎ口３１Ｂを形成できる。注ぎ口予定部３２は、上縁接合部２１の一端部で袋１０の長手方向に対する斜め方向に突き出る尖り状をなし、袋１０の胴部シート１１に切り口表示ライン３２Ａを備え、ライン３２Ａに沿う上縁接合部２１の切断により注ぎ口３２Ｂを形成できる。図２は、袋１０に注ぎ口３２Ｂを形成した使用状態である。
【００１０】
本実施形態によれば、以下の作用がある。
▲１▼袋１０が２箇所の注ぎ口予定部３１、３２を備えるから、使用者にとって都合の良い注ぎ口予定部３１、３２を選択して開封し、これを注ぎ口３１Ｂ、３２Ｂとして用いることができ、多様な使用者に対して良好な注ぎ性を提供できる。
【００１１】
▲２▼１つの注ぎ口予定部３１（又は３２）を引き裂き損ねたためにその注ぎ口予定部が剪断しにくくなっても、他の注ぎ口予定部３２（又は３１）を引き裂くことによって確実に開封できる。
【００１２】
▲３▼袋１０が、上縁接合部２１における幅方向の真中に位置する注ぎ口予定部３１と、上縁接合部２１における幅方向における一端部に位置する注ぎ口予定部３２とを備えるから、使用者が好みとする注出作業姿勢を得ることができる方の注ぎ口予定部３１（又は３２）を選択することができる。
【００１３】
▲４▼自立袋１０において、上述▲１▼〜▲３▼を実現できる。
尚、袋１０は、内容物をシャンプー、リンス、柔軟剤、漂白剤、洗剤等、粘度（1〜50000mPa・s）のものとするとき、その注出作業性を顕著に向上できる。
【００１４】
図３の軟質自立袋４０は、参考形態であって、前記袋１０と同様に胴部シート１１、底部シート１２を有し、上縁接合部２１、側縁接合部２２、底縁接合部２３を有する。
【００１５】
袋４０は、上縁接合部２１における幅方向の真中に位置する同一注出軌道上に、小注出流量に対応する狹幅の開口幅をもつ注ぎ口予定部４１と、大注出流量に対応する広幅の対向幅をもつ注ぎ口予定部４２とを備える。注ぎ口予定部４１、４２は、上縁接合部２１の真中で袋１０の長手方向の外方に突き出る尖り状の上縁接合部をなす。注ぎ口予定部４１は、袋１０の胴部シート１１に切り口表示ライン４１Ａを備え、ライン４１Ａに沿う上縁接合部２１の切断により注ぎ口４１Ｂを形成できる。注ぎ口予定部４２は、切り口表示ライン４２Ａを備え、ライン４２Ａに沿う上縁接合部２１の切断により注ぎ口４２Ｂを形成できる。図４は、袋４０に注ぎ口４１Ｂを形成した使用状態である。
【００１６】
本実施形態によれば、袋１０における▲１▼〜▲３▼の作用に加え、以下の作用がある。即ち、袋４０が、小注出流量に対応する狹幅の開口幅をもつ注ぎ口予定部４１と、大注出流量に対応する広幅の開口幅をもつ注ぎ口予定部４２とを備えるから、使用者が好みとする注出流量を得ることができる方の注ぎ口予定部４１（又は４２）を選択することができる。
【００１７】
【発明の効果】
以上のように本発明によれば、多様な使用者に対して良好な注ぎ性を提供でき、かつ開封性も良好にすることができる。
【図面の簡単な説明】
【図１】  図１は本発明実施形態の袋を示す模式図である。
【図２】  図２は袋の注出作業状態を示す模式図である。
【図３】  図３は参考形態の袋を示す模式図である。
【図４】  図４は袋の注出作業状態を示す模式図である。
【符号の説明】
１０  袋
３１、３２  注ぎ口予定部
３１Ａ、３２Ａ  切り口表示ライン（切り口表示部）
【図１】
0004745488.tif 000002
【図２】
0004745488.tif 000003
【図３】
0004745488.tif 000004
【図４】
0004745488.tif 000005